(57)【特許請求の範囲】
【請求項１】
ドアラッチ組立体であって、
ハウジング内部を含むハウジングと、
第１位置と第２位置との間で回転可能である、前記ハウジングと動作可能に結合されたスイッチ部材と、
アンロック位置とロック位置との間で線形に移動可能であるロックボルトであって、前記第１位置から前記第２位置への前記スイッチ部材の回転が、前記アンロック位置から前記ロック位置へと前記ロックボルトを移動させる、ロックボルトと、
を備え、
前記スイッチ部材と一緒に前記第１位置と前記第２位置との間で回転可能である少なくとも第１インディケータ部材を更に備え、前記第１インディケータ部材が、ロック部分及びアンロック部分を含み、前記ハウジングが、外部インディケータ窓を含み、前記スイッチ部材が前記ロック位置にあるとき、前記第１インディケータ部材の前記ロック部分が前記外部インディケータ窓を通して視認可能であり、前記スイッチ部材が前記アンロック位置にあるとき、前記第１インディケータ部材の前記アンロック部分が前記外部インディケータ窓を通して視認可能であり、
前記スイッチ部材と一緒に前記第１位置と前記第２位置との間で回転可能である第２インディケータ部材をさらに備え、
前記ハウジングが、内部インディケータ窓を含み、前記スイッチ部材が前記ロック位置にあるとき、前記第２インディケータ部材の前記ロック部分が前記内部インディケータ窓を通して視認可能であり、前記スイッチ部材が前記アンロック位置にあるとき、前記第２インディケータ部材の前記アンロック部分が前記内部インディケータ窓を通して視認可能であり、
前記スイッチ部材と一緒に前記第１位置と前記第２位置との間で回転可能である回転部材を更に備え、前記回転部材が、アンロックインディケータ窓及びロックインディケータ窓を含み、前記スイッチ部材が前記第１位置にあるとき、前記アンロックインディケータ窓が少なくとも部分的に前記内部インディケータ窓及び前記外部インディケータ窓と整列され、前記スイッチ部材が前記第２位置にあるとき、前記ロックインディケータ窓が少なくとも部分的に前記内部インディケータ窓及び前記外部インディケータ窓と整列される、ドアラッチ組立体。
【請求項２】
前記スイッチ部材に動作可能に接続された歯車列を更に備え、前記歯車列が、少なくとも、ラックギアと噛み合う歯車を含む、請求項１に記載のドアラッチ組立体。
【請求項３】
前記歯車と一緒に回転する端部を有するオーバーセンターアシストばねを更に備え、前記オーバーセンターアシストばねは、前記スイッチ部材が前記第１位置から前記第２位置へ回転するときに圧縮しその後拡張するように、構成される、請求項２に記載のドアラッチ組立体。
【請求項４】
ドアラッチ組立体であって、
ハウジング内部を含むハウジングと、
第１位置と第２位置との間で回転可能である、前記ハウジングと動作可能に結合されたスイッチ部材と、
アンロック位置とロック位置との間で線形に移動可能であるロックボルトであって、前記第１位置から前記第２位置への前記スイッチ部材の回転が、前記アンロック位置から前記ロック位置へと前記ロックボルトを移動させる、ロックボルトと、
を備え、
本体部分と前記本体部分にヒンジ式に接続されたフィンガリッドとを含むオーバーライド組立体を更に備え、前記フィンガリッドが、格納位置と展開位置との間で回動可能であり、第１位置から第２位置への前記フィンガリッドの回転が、前記アンロック位置から前記ロック位置へ前記ロックボルトを移動させる、ドアラッチ組立体。
【請求項５】
前記フィンガリッドが、磁石によって前記格納位置に固定される、請求項４に記載のドアラッチ組立体。
【請求項６】
前記第１位置から前記第２位置への前記フィンガリッドの回転が、前記第１位置から前記第２位置へ前記スイッチ部材を回転させる、請求項４に記載のドアラッチ組立体。
【請求項７】
前記第１位置から前記第２位置への前記スイッチ部材の回転が、前記第１位置から前記第２位置へ前記フィンガリッドを回転させる、請求項４に記載のドアラッチ組立体。
【請求項８】
前記スイッチ部材から前記回転部材まで延びる接続棒を更に備え、前記接続棒が、前記第２インディケータ部材を通過して延びる、請求項１に記載のドアラッチ組立体。
【請求項９】
前記ロックボルトが、前記アンロック位置と前記ロック位置との間で垂直に移動可能である、請求項１又は４に記載のドアラッチ組立体。
【発明の詳細な説明】
【技術分野】
【０００１】
[関連出願の相互参照]
本出願は、２０１７年１月２３日に提出された米国仮特許出願第６２／４４９５３８号（参照により本出願に援用される）の優先権を主張する。
【０００２】
本発明は、概略的に、航空機洗面所のドアラッチに関する。
【０００３】
エアバスＡ３２０又はボーイング７３７など商業航空機は、典型的に、機体の寸法、美観及び安全性を含めた多くの考慮事項から定められる構成要素、サイズ、重量及び構造から構成される。これらの要件の多くは、法律又は規則によって課せられる。頭上積荷物コンパートメント、シート、洗面所、厨房、照明システムなどの航空機の構成要素は、全て、厳しく限定されたスペース内で機能することが要求される。
【発明の概要】
【発明が解決しようとする課題】
【０００４】
航空機の製造者は、コスト、重量、整備ダウンタイム及び安全性に関し輸送会社に課せられる制約の範囲内で乗客及び乗員のためにより良い快適性及び有用性を得るために航空機内部設計を絶えず改良している。商業旅客機は、概略的に、壁の１つにドアを含む乗客及び乗員が使用するための洗面所を含む。二つ折り又はブレードドアの開閉及び施錠は、しばしば扱い難いことがある。時には、ドアが適切に施錠されているか否かを乗客が知ることが難しい。本発明は、二つ折りドアの施錠及び開閉をより直観的に認識し易くする。これについて、ドアモジュールの他の利点と共に以下で論じる。
【課題を解決するための手段】
【０００５】
本発明の第１形態によれば、航空機洗面所ドアに使用されるように構成されたドアラッチ組立体が提供される。ドアラッチ組立体は、ハウジング内部を含むハウジングと、第１位置と第２位置との間で回転可能である、ハウジングと動作可能に結合されたスイッチ部材と、アンロック位置とロック位置との間で線形に移動可能なロックボルトと、を含む。第１位置から第２位置へのスイッチ部材の回転は、アンロック位置からロック位置へロックボルトを移動する。好ましい実施形態において、ドアラッチ組立体は、少なくとも、スイッチ部材と一緒に第１位置と第２位置との間で回転可能な第１インディケータ部材を含む。第１インディケータ部材は、ロック部分及びアンロック部分を含む。ハウジングは、外部インディケータ窓を含む。スイッチ部材がロック位置にあるとき、第１インディケータ部材のロック部分が外部インディケータ窓を通して視認可能であり、スイッチ部材がアンロック位置にあるとき、第１インディケータ部材のアンロック部分が外部インディケータ窓を通して視認可能である。
【０００６】
好ましい実施形態において、ハウジングは、内部インディケータ窓も含み、スイッチ部材がロック位置にあるとき、インディケータ部材のロック部分が内部インディケータ窓を通して視認可能である。スイッチ部材がアンロック位置にあるとき、インディケータ部材のアンロック部分が内部インディケータ窓を通して視認可能である。好ましい実施形態において、ドアラッチ組立体は、スイッチ部材と一緒に第１位置と第２位置との間で回転可能な回転部材も含む。回転部材は、アンロックインディケータ窓及びロックインディケータ窓を含む。アンロックインディケータ窓は、スイッチ部材が第１位置にあるとき、内部インディケータ窓及び外部インディケータ窓と少なくとも部分的に整列し、ロックインディケータ窓は、スイッチ部材が第２位置にあるとき、内部インディケータ窓及び外部インディケータ窓と少なくとも部分的に整列する。
【０００７】
好ましい実施形態において、ドアラッチ組立体は、スイッチ部材に動作可能に接続された歯車列を含み、歯車列は、少なくとも、ラックギアと噛み合う第１歯車（好ましくは丸形）を含む。好ましくは、ドアラッチ組立体は、第１歯車に接続されて一緒に回転する端部を有するオーバーセンターアシストばね（overcenter assist spring）を含む。アシストばねは、スイッチ部材が第１位置から第２位置へ回転するとき圧縮しその後拡張するように、構成される。
【０００８】
好ましい実施形態において、ドアラッチ組立体は、本体部分と、本体部分にヒンジ式に接続されたフィンガリッドとを含むオーバーライド組立体を含む。フィンガリッドは、格納位置と展開位置との間で回動可能である。第１位置から第２位置へのフィンガリッドの回転は、ロックボルトをアンロック位置からロック位置へ移動する。好ましくは、フィンガリッドは、磁石によって格納位置に固定される。好ましい実施形態において、第１位置から第２位置へのフィンガリッドの回転は、第１位置から第２位置へスイッチ部材を回転させる。好ましくは、第１位置から第２位置へのスイッチ部材の回転は、第１位置から第２位置へフィンガリッドを回転させる。
【０００９】
好ましい実施形態において、ドアラッチ組立体は、スイッチ部材から回転部材まで延びる接続棒を含む。接続棒は、第２インディケータ部材を通過して延びる。好ましくは、ロックボルトは、アンロック位置とロック位置との間で垂直に移動可能である。
【００１０】
本明細書において説明するのはドアラッチ及びロックの好ましい実施形態である。好ましい実施形態において、ドアラッチ又はスイッチシステムは、航空機洗面所に使用される。但し、これは、本発明を限定するものではなく、航空機において使用されるドアラッチについての本明細書における説明は、単なる実施例である。特に、好ましい実施形態において、ドアラッチは、２０１６年８月３０日付の米国特許第９４２８２５９号明細書（その全体が参照により本出願に援用される）において教示される洗面所ドアに使用される。但し、これは本発明を限定しない。ドアラッチは、二つ折り又はブレードドアに使用できる。
【００１１】
本発明は、添付図面を参照することによってより容易に理解できる。
【図面の簡単な説明】
【００１２】
【図１】本発明の好ましい実施形態に従ったドアラッチ組立体の斜視図である。
【図２Ａ】第１及び第２（ロックとアンロック）位置の間のインディケータ部分を示す図１のドアラッチ組立体の前立面図である。
【図２Ｂ】第１及び第２（ロックとアンロック）位置の間のインディケータ部分を示す図１のドアラッチ組立体の後立面図である。
【図３】図１のドアラッチ組立体の分解斜視図である。
【図４Ａ】アンロック位置にあるロックボルトを示す図１のドアラッチ組立体のハウジング内部の立面図である。
【図４Ｂ】ロック位置にあるロックボルトを示す図１のドアラッチ組立体のハウジング内部の立面図である。
【図５】格納位置と展開位置との間のオーバーライドフィンガリッドを示す図１のドアラッチ組立体の斜視図である。
【図５Ａ】展開位置及び第１（ロック）位置にあるオーバーライドフィンガリッドを示す図１のドアラッチ組立体の前立面図である。
【図５Ｂ】展開位置及び第２（アンロック）位置にあるオーバーライドフィンガリッドを示す図１のドアラッチ組立体の前立面図である。
【図６】二つ折りドアに設置された図１のドアラッチ組立体の斜視図であり、ハウジング前カバーが取り除かれている。
【図７】図１のドアラッチ組立体が中に設置されている二つ折りドアの斜視図である。
【図８Ａ】別のドアラッチ組立体のハウジング内部の立面図であり、アンロック位置にあるロックボルトを示す。
【図８Ｂ】図８Ａのドアラッチ組立体のハウジング内部の立面図であり、ロック位置にあるロックボルトを示す。
【００１３】
同様の番号は、いくつかの図面を通して同様の部品を指す。
【発明を実施するための形態】
【００１４】
下記の説明および図面は例示的なものであって、限定的であると見なされるべきではない。多数の具体的な細部は、開示の徹底的な理解のために説明される。但し、いくつかの例において、周知の又は従来の細部については、説明をあいまいにしないようにするために説明しない。本開示において１つの実施形態と言うとき、同じ実施形態への言及であり得るが、必ずしもそうである必要はなく、このような言及は、実施形態の少なくとも１つを意味する。
【００１５】
本明細書において「１つの実施形態」（又は、単に「実施形態」）と言うとき、その実施形態に関連して説明される特定の特徴、構造又は特性が本開示の少なくとも１つの実施形態に含まれることを意味する。「１つの実施形態において」と言うフレーズが本明細書の様々な場所に現れる場合、それらは必ずしも全てが同じ実施形態を指すわけではなく、相互に他の実施形態を排除する別個の又は代替の実施形態であるわけでもない。更に、様々な特徴がいくつかの実施形態においては提示されるが、他の実施形態においては提示されない。同様に、いくつかの実施形態のためには要求されるが他の実施形態のためには要求されない様々な要件が説明される。
【００１６】
本明細書において使用される用語は、概略的に、開示の文脈の範囲内で及び各用語が使用される具体的文脈において技術上通常の意味を有する。開示を説明するために使用される特定の用語については、開示の説明に関して実践者に付加的指針を与えるために、以下で又は明細書の別の場所で論じる。便宜上、特定の用語は、例えばイタリック体及び／又は引用符を使用して、強調される場合がある。これらの強調の使用は、用語の範囲及び意味に一切影響を与えない。用語の範囲及び意味は、強調されるか否かに関係なく同一文脈において同じである。
【００１７】
同じことを複数の言い方で言えることが分かるはずである。したがって、本明細書において論じる用語の任意の１つ又は複数について、代替の言語及び同義語が使用される可能性がある。ある用語について本明細書において推敲される又は論じられるか否かについては、特別意味はない。特定の用語の同義語が示される。１つ又は複数の同義語が引用されることは、他の同義語の使用を排除するものではない。本明細書において論じられる任意の用語の例を含む、本明細書の任意の場所における例の使用は、単なる例示であり、例示される用語の開示の範囲及び意味をそれ以上限定することを意図しない。同様に、開示は、本明細書において示される様々な実施形態に限定されない。
【００１８】
本開示の範囲をそれ以上限定する意図なしに、本開示の実施形態に従った機器、装置、方法及びその関連する結果の例を以下に示す。タイトル及びサブタイトルは、読み手の便宜のために例として使用され、本開示の範囲を限定するものでは決してない。特に定義しない限り、本明細書において使用する全ての科学技術用語は、本開示が属する分野の当業者が通常理解するのと同じ意味を有する。矛盾がある場合、定義を含めて本文献が支配する。
【００１９】
本明細書において使用される「前」、「後」、「頂部」、「底部」、「側面」、「短」、「長」、「上」、「下」、「後方」、「前方」、「中央寄り」、「外側寄り」及び「下方」などの用語は、単に説明し易さのために使用され、図に示す構成要素の向きを示す。本明細書において説明する構成要素の任意の向きが、本発明の範囲内にあると理解すべきである。
【００２０】
本発明を限定するためではなく本発明の例示を目的とする図を参照すると、図１〜７は、ドアラッチ組立体１０を示す。特に、本発明は、商業旅客機の洗面所ドアに使用できる。但し、これは本発明を限定するものではなく、ドアラッチ組立体は、他の場所でも使用できる。
【００２１】
概略的に、ドアラッチ組立体は、ハウジング前部分１２ａ、ハウジング後部分１２ｂ及びハウジング内部１２ｃを有するハウジング１２と、スイッチ部材１４と、ロックボルト１６と、を含む。スイッチ部材１４は、ハウジング１２に固定又はその他の方法で結合され、第１又はアンロック位置と第２又はロック位置との間で回転可能である。好ましい実施形態において、スイッチ部材１４は、ハンドル部分１４ａを含む。ロックボルト１６は、アンロック位置とロック位置との間で線形に移動可能である。好ましい実施形態において、第１位置から第２位置へのスイッチ部材１４の回転は、アンロック位置からロック位置へロックボルト１６を移動する。
【００２２】
図３から最も分かるように、スイッチ部材１４は、一連の歯車２０を含む歯車列に動作可能に接続され、一連の歯車は、スイッチ部材１４の回転運動を線形運動に変換するラックギア２２と協働する。図に示す好ましい実施形態において、歯車列は、第１歯車２０ａ、第２歯車２０ｂ、第３歯車２０ｃ及び第４歯車２０ｄを含む。第４歯車２０ｄは、ラックギア２２と噛み合う。好ましい実施形態において、ラックギア２２は、ハウジング内部１２ｃをハウジング１２外部と連絡するスロット２６を通過して延びるアーム部材２４に接続される。アーム部材２４は、ロックボルト１６を受け入れる、又は、さもなければロックボルトに接続される。
【００２３】
ハウジング１２内には、スイッチ部材１４と一緒に回転するいくつかの構成要素、並びに、第１及び第２シート部材２８及び３０を含めて、スイッチ部材と一緒に回転しないいくつかの構成要素がある。第１シート部材２８は、ハウジング前部分１２ａ寄りに配置又は位置付けられ、第２シート部材３０は、ハウジング後部分１２ｂ寄りに配置又は位置付けられる。図３に示すように、基本的に、第１シート部材２８とハウジング前部分１２ａとの間の構成要素の全てが、第１シート部材２８に着座、固定又はその他の方法で接続される。同様に、基本的に、第２シート部材３０とハウジング後部分１２ｂとの間の構成要素の全てが、第２シート部材３０に着座、固定又はその他の方法で接続される。
【００２４】
好ましい実施形態において、第１シート部材２８とハウジング前部分１２ａとの間に、回転部材３２、第１インディケータ部材３４及び低摩擦ストリップ３６が配置される。好ましい実施形態において、第２シート部材３０とハウジング後部分１２ｂとの間に、歯車列１８、第２インディケータ部材３８及び低摩擦ストリップ３６が配置される。
【００２５】
図３に示すように、歯車列１８の歯車２０は、第２シート部材３０に着座してこれに対して回転する。例えば、第２シート部材３０は、上に歯車が着座するボス４０を含むことができる。好ましくは、第２シート部材３０は、同様に、その中に形成されたインディケータスロット４２を含む。好ましい実施形態において、第１歯車２０ａ（中央歯車）は、スイッチ部材１４が回されたときに回転するように、スイッチ部材１４に動作可能に接続される。図３に示すように、第１歯車２０ａは、スイッチ部材１４の中に受け入れられる２つの弓形フランジを含む。
【００２６】
好ましい実施形態において、組立体１０は、スイッチ部材１４から第２インディケータ部材３８の開口を通過し、第２シート部材３０のインディケータスロット４２を通過し、第１シート部材２８のインディケータスロット４２を通過して、回転部材３２まで延びる接続棒４４を含む。概略的に、接続棒４４は、第１及び第２インディケータ部材、回転部材及びオーバーライド組立体５０（以下で説明）を回転させる。接続棒４４は、スイッチ部材１４及び／又は回転部材３２に永久的に又は一時的に付着できる。好ましい実施形態において、スイッチ部材１４及び回転部材３２は、両方とも、その中に接続棒４４の両端を受け入れる開口４６が形成される。回転部材３２は、同様に、その中に形成されたロックインディケータ窓３２ａ及びアンロックインディケータ窓３２ｂを含むことが好ましい。
【００２７】
回転部材３２は、好ましくは、第１シート部材２８に対して又はその上に回転可能に着座される。第１インディケータ部材３４は、好ましくは、回転部材３２と一緒に回転するように回転部材３２に接続または固定される。好ましくは、組立体１０は、同様に、少なくとも部分的に第１インディケータ部材の中央開口３４ｃを通過して延びて回転部材３２に接続するオーバーライド組立体５０を含む。オーバーライド組立体５０は、ハウジング前部分１２ａに形成された中央開口１２ｃを通過して延びる。
【００２８】
好ましくは、第１インディケータ部材３４は、スイッチ部材１４と一緒に第１位置と第２位置との間で回転可能である。図３に示すように、第１インディケータ部材３４は、ロック部分３４ａ及びアンロック部分３４ｂを含む。好ましい実施形態において、ハウジング前部分１２ａは、その中に形成された外部インディケータ窓４８を含む。使用時に、スイッチ部材１４がロック位置にあるとき、第１インディケータ部材３４のロック部分３４ａが外部インディケータ窓４８を通して見え、スイッチ部材１４がアンロック位置にあるとき、第１インディケータ部材３４のアンロック部分３４ｂが外部インディケータ窓４８を通して視認可能である。
【００２９】
好ましい実施形態において、第２インディケータ部材３８も、スイッチ部材１４と一緒に第１位置と第２位置との間で回転可能である。図３に示すように、第２インディケータ部材３８は、ロック部分３８ａ及びアンロック部分３８ｂを含む。好ましい実施形態において、ハウジング後部分１２ｂは、その中に形成された内部インディケータ窓５２を含む。使用時に、スイッチ部材１４がロック位置にあるとき、第２インディケータ部材３８のロック部分３８ａが内部インディケータ窓５２を通して見え、スイッチ部材１４がアンロック位置にあるとき、第２インディケータ部材３８のアンロック部分３８ｂが内部インディケータ窓５２を通して視認可能である。ロック及びアンロック部分は、ドアがロックされているかアンロックされているか（例えば、洗面所が使用中であるか否か）を人々に示すために異なる色とすることができる。好ましくは、ロック部分は赤であり、アンロック部分はグリーンである。図において、アンロック部分はクロス陰影線で示され、ロック部分は点描で示される。例えば、ロック部分３４ａの半分及びアンロック部分３４ｂの半分から成る第１インディケータ部材を示す図２Ａ、及び、ロック部分３８ａの半分及びアンロック部分３８ｂの半分から成る第２インディケータ部材３８を示す図２Ｂは、スイッチ部材１４が第１位置と第２位置との間に在ることを示す。
【００３０】
好ましい実施形態において、インディケータ部材の各々のロック部分及びアンロック部分は半透明である。これによって、洗面所内部からの光が透けて、洗面所外部にいるものにより良く視認可能である。第１及び第２シート部材２８及び３０のインディケータスロット４２が外部及び内部インディケータ窓４８及び５２と整列する又は部分的に整列することが、当業者には分かるはずである。更に、スイッチ部材１４が第１位置にあるとき、回転部材３２のアンロックインディケータ窓３２ｂは、第１インディケータ部材３４のアンロック部分３４ｂ、第２インディケータ部材３８のアンロック部分３８ｂ、外部インディケータ窓４８及び内部インディケータ窓５２と整列して又は少なくとも部分的に整列して、ドアがアンロックされていることを示すために光が通過できるアンロック経路を形成する。スイッチ部材１４が第２位置にあるとき、回転部材３２のロックインディケータ窓３２ａは、第１インディケータ部材３４のロック部分３４ａ、第２インディケータ部材３８のロック部分３８ａ、外部インディケータ窓４８及び内部インディケータ窓５２と整列して又は少なくとも部分的に整列して、ドアがロックされていることを示すために光が通過できるロック経路を形成する。
【００３１】
好ましい実施形態において、組立体１０は、第１（アンロック）位置と第２（ロック）位置との間（及びその逆）でスイッチ部材１４及びロックボルト１６を移動するのに役立つオーバーセンターアシストばね５４を含む。アシストばね５４は、例えば、圧縮コイルばねである。アシストばね５４の第１端部は、ハウジング１２などの不動ピースに接続され、反対の第２端部は、歯車列の歯車２０の１つに動作可能に接続される。好ましい実施形態において、アシストばね５４の第１端部は、ハウジング前半分１２ａの突出部に受け入れられるスリーブベアリング５６に接続され、第２端部は、第４歯車２０ｄ（ラック又はリニアギアと噛み合う歯車）に接続される。
【００３２】
図４Ａは、第１（アンロック）位置にあるアシストばね５４を示し、図４Ｂは、第２（アンロック）位置にあるアシストばね５４を示す。これらの位置において、アシストばね５４は、引張又は圧縮状態ではないことが好ましい。図４Ａ〜４Ｂに示すように、アシストばねは、スイッチ部材１４が第１位置と第２位置との間で移動するとき、第４歯車２０ｄの中心の一方の側から他方の側へ移動する。使用時に、スイッチ部材１４が回転するとき、アシストばね５４は、第２端部が第４歯車２０ｄの回転の上部中心を通過するので、圧縮される。第２端部が第４歯車２０ｄの上部中心を通過してしまうと、アシストばねは弛緩又は拡張して、歯車２０ｄを、その結果スイッチ部材１４及び最終的にロックボルト１６を、第１（アンロック）位置又は第２（ロック）位置へ（スイッチ部材がどのように回転されるかに応じて）移動する。
【００３３】
図５〜５Ｂに示すように、好ましい実施形態において、本発明は、緊急時例えば誰かが洗面所の中で意識を失ったときに乗員がアンロックするために使用できるオーバーライド組立体を含む。オーバーライド組立体５０は、回転部材３２に接続される本体部分６０と、本体部分６０にヒンジ式に接続されるフィンガリッド６２と、を含む。ヒンジ６４と反対側のフィンガリッド６２の端部は、本体部分に固定され、乗員又はその他の者は、フィンガリッド６２を本体部分６０から押し上げて、格納位置（図２Ａ）から展開位置（図５Ａ〜５Ｂ）へ移動するために、指又は工具を使用しなければならない。オーバーライド組立体５０は回転部材３２に動作可能に接続されるので、フィンガリッド６２が展開位置へ動かされた後に、オーバーライド組立体は、ドアをアンロックするために、第２位置（ロック位置）から第１位置（アンロック位置）へ回転できる。展開されたフィンガリッド６２を洗面所の外部から回すと、洗面所内部からスイッチ部材１４を回転するのと同じ作用を生じる。フィンガリッド６２の非ヒンジ側端部は、任意の方法で本体部分６０に固定できる。例えば、摩擦嵌め、スナップ嵌め、面ファスナ、接着剤などが可能である。好ましい実施形態において、磁石６６（フィンガリッド６２に一方及び本体部分６０に他方）が使用される。
【００３４】
図６は、二つ折りドア１００に設置されたドアラッチ組立体１０（ハウジング前部分１２ａ及びいくつかの他の構成要素が取り除かれている）を示す。図示するように、ラッチボルト１６がドアのパネルの間のヒンジ部材に形成されたトンネルを通過して上向きに延びる。図７は、二つ折りドア１００に設置され洗面所１０２の壁に固定されたドアラッチ組立体１０を示す。
【００３５】
図８Ａ〜８Ｂは、ブレードドアに使用できるドアラッチ組立体６６の別の実施形態を示す。組立体６６は、上述の組立体１０とほぼ同一である。但し、アーム部材及び垂直に延びるラッチボルトが省かれる。これらの構成要素は、ラック又はリニアギア２２と一体的な水平に延びるラッチボルト１６に代えられる。同様に、ラックギア２２は、垂直ではなく水平に移動するように、第４歯車２０ｄの下方（又は上方）に位置付けられる。ラッチボルト１６は、スロット２６を通過してハウジング１２外部へ延びる。したがって、第１（アンロック）位置から第２（ロック）位置へのスイッチ部材１４の移動は、ハウジング１２内部（アンロック位置）からハウジング１２外部（ロック位置）へとラッチボルト１６を移動し、これによって、ラッチボルト１６は、ドアをロックするためにドア枠の中の開口と噛み合うことができる。
【００３６】
文脈上明確に要求しない限り、説明及び請求項全体を通じて、「備える、含む（comprise）」（及びその変形）は、排他的又は網羅的ではなく包括的に解釈されるものとする。即ち、「〜を含むがこれに限定されない」として解釈される。本明細書において使用される場合、「接続」、「結合」又はその変形は、２つ以上の要素の間の直接的な又は間接的な接続または結合を意味する。即ち、要素間の結合又は接続は、物理的、論理的又はその組合せとすることができる。更に、本出願において使用される場合、「本明細書において」、「以下で、「以上で」などの単語は、本出願の特定の部分ではなく本出願全体を指す。文脈が許す場合には、以上の「発明を実施するための形態」の中で単数又は複数で表される単語は、それぞれ複数又は単数も含む。２つ以上のアイテムの列記に使用される「又は（or）」は、列記されるアイテムのいずれか、列記されるアイテムの全て、及び、列記されるアイテムの任意の組合せ、の全ての解釈をカバーする。
【００３７】
本開示の実施形態の上述の説明は、網羅的であること又は教示を以上に開示される正確な形式に限定することを意図するものではない。本開示の具体的実施形態及び実施例が例示の目的で以上で説明されているが、様々な同等の修正が本開示の範囲内で可能であることが、当業者には分かるはずである。更に、本明細書において記すいかなる具体的な数も単なる例であり、代替の実現形態は、異なる値、測定値又は範囲を採用し得る。
【００３８】
本明細書に示される本開示の教示は、必ずしも上記のシステムではなく他のシステムに応用できる。以上で説明する様々な実施形態の要素及び作用は組み合わせて、別の実施形態を提供できる。本明細書において説明又は使用する測定値は、単なる代表的なものであって、本発明を限定するものではない。他の測定値を使用できる。更に、本明細書において記す具体的材料は単なる例であり、代替の実現形態は異なる材料を採用し得る。
【００３９】
上述の特許及び出願並びにその他の参考文献は、添付提出文書に列記されるものを含めて、その全体が参照により本出願に援用される。本開示の形態は、本開示の更に別の実施形態を提供するために上述のシステム、機能及び様々な参考文献の概念を採用するために、必要に応じて修正できる。
【００４０】
これらの及びその他の変更は、上述の「発明を実現するための形態」を考慮して本開示に加えることができる。以上の説明は、本開示の特定の実施形態を説明し、想定される最良のモードを説明するが、上記のことがどれだけ詳細であっても、教示は、多様に実施できる。システムの細部は、その実現の細部において大幅に変更しても、本明細書において開示する内容に包括される。上述のように、本開示の特定の特徴又は形態を説明するときに使用される特定の技術用語は、その用語が、本明細書において再定義されてその用語が関連付けられる本開示の特定の特性、特徴又は形態に限定されることを示唆すると見なすべきではない。概略的に、以下の請求項において使用される用語は、「発明を実施するための形態」が用語を明白に定義する場合を除いて、明細書において開示される具体的実施形態に本開示を限定すると解釈されるべきではない。したがって、開示の実際の範囲は、開示する実施形態だけでなく、請求の対象である本開示を実施または実現する全ての同等の様式も包含する。
【００４１】
したがって、本発明の好ましい実施形態を図示し説明したが、本明細書において使用される全ての用語は、限定的ではなく説明的であり、当業者であれば、本発明の主旨及び範囲から逸脱することなく、多くの変更、修正及び代替を加えることができることが分かるはずである。
【図１】
0006989608.tif 000002
【図２Ａ】
0006989608.tif 000003
【図２Ｂ】
0006989608.tif 000004
【図３】
0006989608.tif 000005
【図４Ａ】
0006989608.tif 000006
【図４Ｂ】
0006989608.tif 000007
【図５】
0006989608.tif 000008
【図５Ａ】
0006989608.tif 000009
【図５Ｂ】
0006989608.tif 000010
【図６】
0006989608.tif 000011
【図７】
0006989608.tif 000012
【図８Ａ】
0006989608.tif 000013
【図８Ｂ】
0006989608.tif 000014